(57)【要約】【課題】扉が開いた状態を保持できる縦型洗濯機を提供する。【解決手段】縦型洗濯機１は、洗濯物の出入口７Ｅが形成された外槽カバー７Ｂを有する洗濯槽３と、水平にスライドすることによって出入口７Ｅを開閉する横スライド部１５Ａを有する扉１５と、横スライド部１５Ａが出入口７Ｅを開くように扉１５を付勢する付勢部材２３とを含む。【選択図】図１
2020103612.tif 000002
【特許請求の範囲】
【請求項１】
洗濯物の出入口が形成された上面部を有する洗濯槽と、
水平にスライドすることによって前記出入口を開閉する横スライド部を有する扉と、
前記横スライド部が前記出入口を開くように前記扉を付勢する付勢部材とを含む、縦型洗濯機。
【請求項２】
前記横スライド部を、前記出入口を開いた状態で静止させるストッパをさらに含む、請求項１に記載の縦型洗濯機。
【請求項３】
前記洗濯槽の上面部に設けられ、前記横スライド部のスライドをガイドするガイド部をさらに含む、請求項１または２に記載の縦型洗濯機。
【請求項４】
前記洗濯槽内に熱風を供給する供給部と、
前記横スライド部に設けられ、透明または半透明な窓部と、
前記窓部において前記洗濯槽内に臨む内面部に設けられ、透明または半透明な結露防止部材とをさらに含む、請求項１〜３のいずれか一項に記載の縦型洗濯機。
【発明の詳細な説明】
【技術分野】
【０００１】
この発明は、縦型洗濯機に関する。
【背景技術】
【０００２】
下記特許文献１に記載の洗濯乾燥機は、筐体と、筐体内に配置された外槽と、外槽内に配置された内槽と、外槽の上部に設けられた外槽カバーと、外槽カバーに設けられて開閉自在な内蓋とを含む。内蓋の一端には、取っ手が設けられ、内蓋の他端は、蝶番構造を介して外槽カバーに連結される。使用者は、取っ手を持って外槽カバーから引き上げることによって内蓋を開き、外槽カバーの出入口から内槽内に洗濯物を投入することができる。蝶番構造は、内蓋が直立した開位置で保持されるように、内蓋を開いた位置でクリックするように構成される。
【先行技術文献】
【特許文献】
【０００３】
【特許文献１】特開２００４−３１３４１８号公報
【発明の概要】
【発明が解決しようとする課題】
【０００４】
特許文献１に記載の内蓋は、外槽カバーの出入口を開閉するため、洗濯物の出し入れのために比較的大きい出入口に応じて、それなりの大きさを有する。そのため、内蓋を蝶番構造によって開閉させる構成では、内蓋を開位置で保持する機能が蝶番構造にあったとしても、開位置の内蓋は、不安定であり、何かの拍子で内蓋が倒れて勝手に閉まってしまうおそれがある。
【０００５】
この発明は、かかる背景のもとでなされたもので、扉が開いた状態を保持できる縦型洗濯機を提供することを目的とする。
【課題を解決するための手段】
【０００６】
本発明は、洗濯物の出入口が形成された上面部を有する洗濯槽と、水平にスライドすることによって前記出入口を開閉する横スライド部を有する扉と、前記横スライド部が前記出入口を開くように前記扉を付勢する付勢部材とを含む、縦型洗濯機である。
【０００７】
また、本発明は、前記縦型洗濯機が、前記横スライド部を、前記出入口を開いた状態で静止させるストッパをさらに含むことを特徴とする。
【０００８】
また、本発明は、前記縦型洗濯機が、前記洗濯槽の上面部に設けられ、前記横スライド部のスライドをガイドするガイド部をさらに含むことを特徴とする。
【０００９】
また、本発明は、前記縦型洗濯機が、前記洗濯槽内に熱風を供給する供給部と、前記横スライド部に設けられ、透明または半透明な窓部と、前記窓部において前記洗濯槽内に臨む内面部に設けられ、透明または半透明な結露防止部材とをさらに含むことを特徴とする。
【発明の効果】
【００１０】
本発明によれば、縦型洗濯機の洗濯槽の上面部に形成された出入口を開閉する扉では、横スライド部が、水平にスライドすることによって出入口を開閉する。この扉は、横スライド部が出入口を開くように付勢部材によって付勢される。これにより、扉が開いた状態を保持できる。
【００１１】
また、本発明によれば、ストッパが、扉の横スライド部を、出入口を開いた状態で静止させるので、扉が開いた状態を確実に保持できる。
【００１２】
また、本発明によれば、洗濯槽の上面部に設けられたガイド部が横スライド部のスライドをガイドするので、使用者は、横スライド部を円滑にスライドさせることによって扉を円滑に開閉することができる。
【００１３】
また、本発明によれば、縦型洗濯機では、洗濯槽内に供給される熱風によって洗濯槽内の洗濯物を乾燥させることができる。使用者は、横スライド部に設けられた透明または半透明な窓部から洗濯槽内の様子を目視することができる。窓部において洗濯槽内に臨む内面部には、結露防止部材が設けられるので、洗濯槽内への熱風の供給時に窓部に結露が発生することを防止できる。また、結露防止部材は、透明または半透明である。よって、使用者は、洗濯槽内への熱風の供給時であっても、窓部から結露防止部材越しに洗濯槽内の様子を目視することができる。
【図面の簡単な説明】
【００１４】
【図１】図１は、この発明の一実施形態に係る縦型洗濯機の模式的な縦断面右側面図である。
【図２】図２は、縦型洗濯機に含まれる扉の平面図である。
【図３】図３は、扉の背面図である。
【図４】図４は、扉の右側面図である。
【図５】図５は、扉の右側面図である。
【図６】図６は、扉が閉状態にあるときの縦型洗濯機の内部の平面図である。
【図７】図７は、扉が開状態にあるときの縦型洗濯機の模式的な縦断面右側面図である。
【図８】図８は、扉が開状態にあるときの縦型洗濯機の内部の平面図である。
【図９】図９は、扉が開状態にあるときの縦型洗濯機の要部の正面図である。
【発明を実施するための形態】
【００１５】
以下には、図面を参照して、この発明の実施形態について具体的に説明する。図１は、この発明の一実施形態に係る縦型洗濯機１の模式的な縦断面右側面図である。図１の紙面に直交する方向を縦型洗濯機１の左右方向Ｘといい、図１における左右方向を縦型洗濯機１の前後方向Ｙといい、図１における上下方向を縦型洗濯機１の上下方向Ｚという。左右方向Ｘおよび前後方向Ｙは、水平方向Ｈに含まれる。左右方向Ｘのうち、図１の紙面における奥側を左側Ｘ１といい、図１の紙面における手前側を右側Ｘ２という。前後方向Ｙのうち、図１における左側を前側Ｙ１といい、図１における右側を後側Ｙ２という。上下方向Ｚのうち、上側を上側Ｚ１といい、下側を下側Ｚ２という。縦型洗濯機１は、筐体２と、筐体２内に配置された洗濯槽３とを含む。
【００１６】
筐体２は、例えば金属製であり、ボックス状に形成される。筐体２には、その上面部を構成する上面板２Ａが設けられる。上面板２Ａには、上面板２Ａを上下方向Ｚに貫通して筐体２の内外を連通させる開口２Ｂと、開口２Ｂを縁取りつつ筐体２内において下側Ｚ２へ突出した環状壁２Ｃとが設けられる。上面板２Ａにおける開口２Ｂの周囲には、液晶操作パネルなどで構成された表示操作部（図示せず）が設けられる。上面板２Ａには、縦型洗濯機１の外蓋として開口２Ｂを開閉する扉４が取り付けられる。扉４は、その後端部において左右方向Ｘに延びる回動軸５を介して上面板２Ａに固定される。扉４は、回動軸５まわりに回動することによって、開口２Ｂを開閉する。図１における扉４は、横になって開口２Ｂを閉じた閉位置にある。扉４は、その途中において左右方向Ｘに延びる回動軸６によって２分割されてもよく、その場合には、開いた状態において回動軸６を中心として折り畳むことができる（後述する図７参照）。
【００１７】
洗濯槽３は、外槽７と、内槽８とを含む。外槽７は、例えば樹脂製であり、有底円筒状に形成される。外槽７は、上下方向Ｚに沿って配置された筒状、詳しくは略円筒状の外槽本体７Ａと、外槽本体７Ａの上端に上側Ｚ１から接続される外槽カバー７Ｂとを有する。外槽本体７Ａは、略円筒状の円周壁７Ｃと、円周壁７Ｃの下端に接続されて円周壁７Ｃの中空部分を下側Ｚ２から塞いだ底壁７Ｄとを有する。円周壁７Ｃの上端が外槽本体７Ａの上端である。円周壁７Ｃの中空部分は、外槽本体７Ａの内部空間である。外槽カバー７Ｂは、外槽７の上面部、つまり洗濯槽３全体の上面部を構成する。外槽カバー７Ｂは、円周壁７Ｃの上端に沿って円周壁７Ｃの円中心側へ水平に張り出したリング状に形成される。外槽カバー７Ｂの内側には、円周壁７Ｃの中空部分に上側Ｚ１から連通した出入口７Ｅが形成される。出入口７Ｅは、例えば前側Ｙ１へ膨出した半円状に形成される（後述する図８参照）。出入口７Ｅは、上面板２Ａにおいて環状壁２Ｃによって取り囲まれた開口２Ｂに対して下側Ｚ２から対向して連通した状態にある。
【００１８】
内槽８は、例えば金属製であり、外槽７よりも一回り小さい有底円筒状に形成されたドラムであって、内部に洗濯物（図示せず）を収容することができる。内槽８は、外槽７内に同軸上に配置される。外槽７内に収容された内槽８は、その中心軸として上下方向Ｚに延びる縦の軸線Ｊまわりに回転可能である。内槽８の上面部には、内槽８の内部空間を上側Ｚ１に露出させる開口８Ａが形成される。開口８Ａは、外槽７の出入口７Ｅに対して下側Ｚ２から対向して連通した状態にある。使用者は、開放された開口２Ｂ、出入口７Ｅおよび開口８Ａを介して、内槽８の内部に対して上側Ｚ１から洗濯物（図示せず）を出し入れする。
【００１９】
外槽カバー７Ｂには、水道水の蛇口につながった給水路（図示せず）が接続され、外槽本体７Ａの下部には、排水路（図示せず）が接続される。外槽７には、給水路（図示せず）から供給された水が溜められる。内槽８には、複数の貫通穴（図示せず）が形成され、外槽７内の水は、貫通穴を介して外槽７と内槽８との間で行き来して、内槽８内にも溜められる。そのため、外槽７内の水位と内槽８内の水位とは、一致する。外槽７内および内槽８内に溜められた水は、排水路から機外に排出される。筐体２内には、内槽８を回転させる駆動力を発生するモータなどの駆動部（図示せず）が設けられる。内槽８内には、駆動部の駆動力を受けて軸線Ｊまわりに回転するパルセータ（図示せず）が設けられる。
【００２０】
縦型洗濯機１では、洗濯運転が実行される。洗濯運転は、内槽８内の洗濯物を洗う洗い工程と、洗い工程後に洗濯物をすすぐすすぎ工程と、すすぎ工程の後に内槽８を回転させて洗濯物を脱水する脱水工程とを有する。洗い工程では、洗濯物は、内槽８内に溜まった水に浸かった状態で、回転するパルセータによって撹拌される。また、内槽８内に洗剤が投入された場合には、洗い工程では、水に溶けた洗剤によって洗濯物の汚れが分解される。すすぎ工程では、洗濯物は、内槽８内に溜まった水道水に浸かった状態で、回転するパルセータによって撹拌される。脱水工程では、内槽８の高速回転により生じた遠心力によって、内槽８内の洗濯物が脱水される。
【００２１】
この実施形態の縦型洗濯機１は、脱水工程の後に洗濯物を乾燥させる乾燥工程も実行する縦型洗濯乾燥機である。そのため、縦型洗濯機１は、内槽８内の洗濯物を乾燥させるための熱風を洗濯槽３内に供給する供給部１０をさらに含む。供給部１０は、外槽カバー７Ｂにおいて出入口７Ｅよりも後側Ｙ２の部分に接続された風路１１と、風路１１内の空気を洗濯槽３内に送り込む送風部１２と、風路１１内の空気を加熱する加熱部１３とを含む。風路１１において外槽カバー７Ｂに接続された一端とは反対側の他端は、外気を取り込むための吸気口として筐体２の外に臨んでもよいし、洗濯槽３と風路１１との間で空気を循環させるために洗濯槽３に接続されてもよい。送風部１２として、公知のファンを用いることができる。加熱部１３として、電熱器などの公知のヒータを用いることができる。乾燥工程では、送風部１２および加熱部１３が作動することによって熱風が発生する。熱風が風路１１から洗濯槽３内に供給されて内槽８内の洗濯物に浴びせられることによって、内槽８内の洗濯物が乾燥する。
【００２２】
縦型洗濯機１は、外槽７の出入口７Ｅを開閉する扉１５をさらに含む。扉１５は、縦型洗濯機１における内蓋として機能する。図２は、出入口７Ｅを閉じた状態にある扉１５の平面図である。図３は、出入口７Ｅを閉じた状態にある扉１５の背面図である。扉１５は、左右方向Ｘに長い長方形板状のベース１６と、左右方向Ｘに細長いバー状の複数の連結体１７とを有し、例えば樹脂製である。ベース１６の上面における後端部の中央部には、逆Ｕ字状の取っ手１８における２つの端部が接続される。取っ手１８は、ベース１６の上面から上側Ｚ１へ突出する。ベース１６の後端部には、単数または複数の磁石１９が内蔵される。この実施形態では、３つの磁石１９が、ベース１６の後端部において左右方向Ｘに等間隔で並んで配置される。これらの磁石１９は、ベース１６の後端面から露出されてもよい。ベース１６の下面において左右方向Ｘの両端には、下側Ｚ２へ突出して前後方向Ｙへ直線状に延びるガイドリブ１６Ａが１つずつ設けられる（図３参照）。
【００２３】
図４は、出入口７Ｅを閉じた状態にある扉１５の右側面図である。この実施形態では、１１個の連結体１７が扉１５に設けられる。各連結体１７は、同一形状および同一寸法を有する。各連結体１７の左右方向Ｘの寸法は、ベース１６の左右方向Ｘの寸法と同じである（図２参照）。各連結体１７の上下方向Ｚの厚さは、ベース１６の上下方向Ｚの厚さと同じである。前後方向Ｙに沿う切断面で切断したときの各連結体１７の断面形状は、略矩形状である。各連結体１７の下面において左右方向Ｘの両端には、下側Ｚ２へ突出して前後方向Ｙに直線状に延びるガイドリブ１７Ａが１つずつ設けられる。全ての連結体１７は、ベース１６に前側Ｙ１から続くように等間隔で並んで配置される。
【００２４】
ベース１６と、ベース１６に隣接する後端の連結体１７とは、耐熱ゴムなどによって構成されたシート状の弾性部材２０によって連結される。隣り合う連結体１７同士は、別の弾性部材２０によって連結される。つまり、弾性部材２０は、ベース１６と最寄りの連結体１７との間や、隣り合う連結体１７同士の間に１つずつ設けられる。各弾性部材２０の左右方向Ｘの寸法は、各連結体１７の左右方向Ｘの寸法と同じである。全ての連結体１７は、各弾性部材２０によって一体化され、キャタピラ状の蛇腹カバー２１を構成する。蛇腹カバー２１は、弾性部材２０によってベース１６に連結される。蛇腹カバー２１は、各弾性部材２０において屈曲可能であり、ベース１６に対して屈曲可能である（図５も参照）。
【００２５】
図１に示すように、出入口７Ｅを閉じた状態にある扉１５では、ベース１６が扉１５の後端に位置して、ベース１６および蛇腹カバー２１の全体が、外槽カバー７Ｂ上に位置して前後方向Ｙに沿って水平に配列される。このときの扉１５の位置を、閉位置という。外槽カバー７Ｂにおいて出入口７Ｅの後端を縁取る部分７Ｆには、鉄や鉄合金などの強磁性体２２が内蔵される。強磁性体２２は、左右方向Ｘにおいて各磁石１９と同じ位置に１つずつ設けられてもよいし、これらの磁石１９に跨るように左右方向Ｘに長手に構成されてもよい。強磁性体２２と、ベース１６の各磁石１９とが引き寄せ合うことによって、扉１５が閉位置において位置決めされる。磁石１９および強磁性体２２は、扉１５を閉位置において位置決めする位置決め部として機能する。位置決め部として、このように磁石を用いる構成に代えて、ベース１６および外槽カバー７Ｂの一方に爪状の係合部を設けて、他方に凹状の被係合部を設けてもよい。
【００２６】
縦型洗濯機１は、例えばコイルばねによって構成されて外槽７と扉１５とをつなぐ付勢部材２３を含む。付勢部材２３の一端は、閉位置にある扉１５における前端の連結体１７に接続され、付勢部材２３の他端は、外槽７の円周壁７Ｃの下端部に設けられたブラケット２４に接続される。前端の連結体１７には、付勢部材２３の他端が係止される係止穴１７Ｂが形成される（図２参照）。扉１５が閉位置にあるとき、付勢部材２３は伸長した状態にあり、扉１５をブラケット２４側へ引き寄せるように付勢する。
【００２７】
図６は、扉１５が閉状態にあるときの縦型洗濯機１の内部の平面図である。外槽カバー７Ｂの上面において左右方向Ｘにおける出入口７Ｅの両側には、ガイド部２５が１つずつ設けられる。各ガイド部２５は、前後方向Ｙに沿って直線状に延びるレールである。各ガイド部２５において、後端は、出入口７Ｅの後端と前後方向Ｙにおいてほぼ同じ位置にあり、前端は、外槽カバー７Ｂの外縁から前側Ｙ１へはみ出して配置される。左側Ｘ１のガイド部２５は、ベース１６における左側Ｘ１のガイドリブ１６Ａと、連結体１７における左側Ｘ１のガイドリブ１７Ａとに右側Ｘ２から係合する。右側Ｘ２のガイド部２５は、ベース１６における右側Ｘ２のガイドリブ１６Ａと、連結体１７における右側Ｘ２のガイドリブ１７Ａとに左側Ｘ１から係合する。これにより、扉１５は、外槽カバー７Ｂ上では、前後方向Ｙへ水平にスライドするようにガイド部２５によってガイドされる。
【００２８】
使用者は、洗濯槽３の内槽８への洗濯物の出し入れなどをする際、まず筐体２の扉４を開く（図７参照）。すると、閉位置にある扉１５が筐体２の上面板２Ａの開口２Ｂから上側Ｚ１に露出され、扉１５の取っ手１８が外槽カバー７Ｂの出入口７Ｅの後端付近に位置する。使用者は、取っ手１８を掴んで前側Ｙ１へ引く。使用者が取っ手１８を引く力が、扉１５のベース１６の磁石１９と外槽カバー７Ｂの強磁性体２２とが引き寄せ合う力を上回ると、付勢部材２３の付勢力により、ベース１６が前側Ｙ１へ水平にスライドする。前側Ｙ１へのベース１６のスライドに伴い、扉１５の蛇腹カバー２１において前端の連結体１７が外槽カバー７Ｂおよびガイド部２５から前側Ｙ１へ外れると、この連結体１７は、今までの水平姿勢から下側Ｚ２へ約９０度回動して垂直姿勢になる。ベース１６が前側Ｙ１へさらにスライドすると、蛇腹カバー２１では、前側Ｙ１の連結体１７から順に、連結体１７が１つずつ垂直姿勢になって外槽７の円周壁７Ｃに沿って下側Ｚ２へスライドする。
【００２９】
そして、図７に示すようにベース１６が出入口７Ｅの前端よりも前側Ｙ１までスライドすると、扉１５が開位置に配置されて出入口７Ｅを開き、上側Ｚ１へ開放する（図８も参照）。付勢部材２３の付勢力によって、使用者が扉１５を開くときの負担を軽減できる。扉１５が開位置にあるとき、ベース１６は、引き続き水平に沿った状態にあるが、蛇腹カバー２１では全ての連結体１７が垂直姿勢になり、上下方向Ｚに沿って一列に並ぶ（図９も参照）。これにより、開位置にある扉１５は、右側面視で略Ｌ字状に屈曲する。また、扉１５が開位置にあるとき、取っ手１８が、上面板２Ａの環状壁２Ｃの前部に後側Ｙ２から接触する。
【００３０】
洗濯物の出し入れなどを済ませた使用者は、開位置にある扉１５の取っ手１８を掴んで後側Ｙ２へ押す。すると、扉１５のベース１６が、付勢部材２３の付勢力に抗して後側Ｙ２へ水平にスライドする。これにより、付勢部材２３が上下方向Ｚに伸長する。後側Ｙ２へのベース１６のスライドに伴い、扉１５の蛇腹カバー２１において上端の連結体１７が外槽７の円周壁７Ｃから上側Ｚ１へ外れると、この連結体１７は、今までの垂直姿勢から後側Ｙ２へ約９０度回動して水平姿勢になり、各ガイドリブ１７Ａにおいてガイド部２５（図６参照）に係合する。ベース１６が後側Ｙ２へさらにスライドすると、蛇腹カバー２１では、上側Ｚ１の連結体１７から順に、連結体１７が１つずつ水平姿勢になって、ガイド部２５にガイドされながら外槽カバー７Ｂ上を後側Ｙ２へスライドする。そして、図１に示すように、取っ手１８が外槽カバー７Ｂの出入口７Ｅの後端に位置するまでベース１６がスライドすると、扉１５は、閉位置に配置されて出入口７Ｅを閉じる。
【００３１】
閉位置と開位置との間で移動する扉１５は、前後方向Ｙに沿って水平にスライドする横スライド部１５Ａと、上下方向Ｚに沿って垂直にスライドする縦スライド部１５Ｂとを有する。閉位置にあるときの扉１５では、ベース１６および蛇腹カバー２１の全体が、横スライド部１５Ａを構成し、縦スライド部１５Ｂは存在しない。なお、変形例として、閉位置にあるときの扉１５において、付勢部材２３に近い連結体１７は、外槽カバー７Ｂから外れて垂直姿勢をとり、縦スライド部１５Ｂを構成してもよい。開位置にあるときの扉１５では、ベース１６だけが横スライド部１５Ａを構成し、蛇腹カバー２１の全体が縦スライド部１５Ｂを構成する（図７参照）。なお、変形例として、開位置にあるときの扉１５において、ベース１６に近い連結体１７は、外槽カバー７Ｂ上にあって水平姿勢をとり、ベース１６とともに横スライド部１５Ａを構成してもよい。扉１５が閉位置から開位置へ移動すると、蛇腹カバー２１では、ベース１６から離れた前側Ｙ１の連結体１７から順に、連結体１７が縦スライド部１５Ｂを構成していく。扉１５が開位置から閉位置へ移動すると、蛇腹カバー２１では、ベース１６に近い上側Ｚ１の連結体１７から順に、連結体１７が横スライド部１５Ａを構成していく。
【００３２】
このように、扉１５では、横スライド部１５Ａが水平にスライドすることによって外槽カバー７Ｂの出入口７Ｅを開閉する。そして、前述した付勢部材２３は、横スライド部１５Ａが出入口７Ｅを開くように扉１５を付勢する。これにより、扉１５が開いた状態を保持できる。そして、洗濯槽３の外槽カバー７Ｂに設けられたガイド部２５が横スライド部１５Ａのスライドをガイドする。そのため、使用者は、横スライド部１５Ａを円滑にスライドさせることによって扉１５を円滑に開閉することができる。
【００３３】
開位置にあるときの扉１５では、取っ手１８が、上面板２Ａの環状壁２Ｃの前部に後側Ｙ２から接触する。このように互いに接触する取っ手１８および環状壁２Ｃがストッパ２６として機能することにより、横スライド部１５Ａが出入口７Ｅを開いた状態で静止する（図７参照）。これにより、扉１５が開いた状態を確実に保持できる。なお、環状壁２Ｃの代わりに、外槽カバー７Ｂに設けられた突起などが、前述したストッパ２６として、開位置にあるときの扉１５の取っ手１８などに接触してもよい。
【００３４】
横スライド部１５Ａおよびベース１６において少なくとも平面視において出入口７Ｅと重なる部分には、透明または半透明な窓部１５Ｃが設けられてもよい。この実施形態の扉１５では、蛇腹カバー２１およびベース１６の全体が透明樹脂製である。扉１５が閉位置にある状態において、使用者は、横スライド部１５Ａに設けられた透明または半透明な窓部１５Ｃから洗濯槽３内の様子つまり洗濯物の状態を目視することができる。なお、筐体２の扉４も透明または半透明であれば、使用者は、扉４を開けなくても、洗濯槽３内の様子を目視することができる。
【００３５】
窓部１５Ｃにおいて、洗濯槽３内つまりに内槽８の開口８Ａに臨む内面部には、例えばシート状の結露防止部材２７が設けられてもよい。結露防止部材２７として、公知のものを用いることができる。乾燥工程時における洗濯槽３内への熱風の供給時に窓部１５Ｃに結露が発生して窓部１５Ｃが曇ることを結露防止部材２７によって防止できる。また、結露防止部材２７は、透明または半透明である。よって、使用者は、洗濯槽３内への熱風の供給時であっても、窓部１５Ｃから結露防止部材２７越しに洗濯槽３内の様子を目視することができる。また、閉位置にある扉１５が出入口７Ｅを密閉するので、洗濯槽３内の気密性が高められる。そのため、乾燥工程時には、出入口７Ｅからの熱風の漏れを防止して、洗濯槽３内の洗濯物を効率的に乾燥させることができる。
【００３６】
洗濯槽３内の洗濯物の乾燥効率を向上させるために、窓部１５Ｃの内面部には、断熱シートまたは熱反射シートが設けられてもよい。断熱シートや熱反射シートとして、公知のものを用いることができる。窓部１５Ｃから洗濯槽３内の様子を目視できるように、これらのシートは、結露防止部材２７と同様に透明または半透明であることが好ましい。
【００３７】
この発明は、以上に説明した実施形態に限定されるものではなく、請求項に記載の範囲内において種々の変更が可能である。
【００３８】
例えば、縦型洗濯機１における内槽８の軸線Ｊは、前述した実施形態では上下方向Ｚに沿って垂直に延びるように配置されるが（図１参照）、縦型洗濯機１には、軸線Ｊが上下方向Ｚに対して若干傾斜して配置された構成も含まれる。
【００３９】
また、扉１５の磁石１９および外槽カバー７Ｂの強磁性体２２について、磁石１９が外槽カバー７Ｂに設けられて、強磁性体２２が扉１５に設けられてもよい。
【符号の説明】
【００４０】
１      縦型洗濯機
３      洗濯槽
７Ｂ    外槽カバー
７Ｅ    出入口
１０    供給部
１５    扉
１５Ａ  横スライド部
１５Ｃ  窓部
２３    付勢部材
２５    ガイド部
２６    ストッパ
２７    結露防止部材
【図１】
2020103612.tif 000003
【図２】
2020103612.tif 000004
【図３】
2020103612.tif 000005
【図４】
2020103612.tif 000006
【図５】
2020103612.tif 000007
【図６】
2020103612.tif 000008
【図７】
2020103612.tif 000009
【図８】
2020103612.tif 000010
【図９】
2020103612.tif 000011